【手続補正書】
【提出日】令和1年8月21日(2019.8.21)
【手続補正１】
【補正対象書類名】特許請求の範囲
【補正対象項目名】全文
【補正方法】変更
【補正の内容】
【特許請求の範囲】
【請求項１】
サービス機能を実施する方法であって、前記方法はインスタントメッセージングサーバにより実行され、前記方法は：
インスタント会話（インスタントメッセージの会話）参加者が送信した、インスタント会話におけるインスタントメッセージを受信するステップと；
前記インスタント会話におけるインスタントメッセージの内容が特定のサービスタイプの事前設定されたトリガ条件を満たす場合に、ショートカット操作アイテムを表示させるための命令を、前記インスタント会話参加者のデバイスへ送信するステップであって、前記ショートカット操作アイテムは、前記サービスタイプのサービスタスクを開始するために前記デバイスによって用いられる、前記送信するステップと；を備える、
サービス機能を実施する方法。
【請求項２】
前記ショートカット操作アイテムに基づいて前記デバイスが開始した要求を受信し、前記ショートカット操作アイテムに対応するサービスタスクを実行するステップ；を更に備える、
請求項１に記載のサービス機能を実施する方法。
【請求項３】
実行された前記サービスタスクの実行結果を表示させるための命令を、前記デバイスへ送信するステップ；を更に備える、
請求項２に記載のサービス機能を実施する方法。
【請求項４】
前記事前設定されたトリガ条件は、前記インスタントメッセージの内容が、前記サービスタイプに対応するキーワードを含むこと；及び／又は、複数の隣接するインスタントメッセージの内容の意味解析結果が、対応する前記サービスタイプと一致すること；を含む、
請求項１〜３のいずれかに記載のサービス機能を実施する方法。
【請求項５】
前記隣接するインスタントメッセージは、同一デバイスにより連続的に送信されたメッセージを含む、又は、全てのインスタント会話参加者により連続的に送信されたメッセージを含む、
請求項４に記載のサービス機能を実施する方法。
【請求項６】
ショートカット操作アイテムを表示させるための前記命令は、前記デバイス上での前記ショートカット操作アイテムの表示時間を含み、
前記ショートカット操作アイテムの表示は、前記表示時間の終了時に前記デバイスによって取り消される、
請求項１〜５のいずれかに記載のサービス機能を実施する方法。
【請求項７】
ショートカット操作アイテムを表示させるための前記命令は、前記サービスタイプと、前記サービスタスクの少なくとも１つのサービスパラメータとを含み、
前記サービスパラメータは、前記インスタント会話におけるインスタントメッセージの内容、及び／又は、前記インスタント会話参加者に従って生成される、
請求項１〜６のいずれかに記載のサービス機能を実施する方法。
【請求項８】
ショートカット操作アイテムを表示させるための前記命令は、前記サービスタイプのサービスサーバのアドレスを含む、
請求項７に記載のサービス機能を実施する方法。
【請求項９】
前記サービス機能は、ネットワーク決済機能を含み、
前記サービスタイプは、送金及び／又は紅包送信を含み、
送金のサービスパラメータは、送金アウトアカウント、送金インアカウント、及び送金金額のうちの１つ以上を含み、
紅包送信のサービスパラメータは、紅包送信アカウントと紅包金額とのうちの１つ又は２つを含む、
請求項７又は請求項８に記載のサービス機能を実施する方法。
【請求項１０】
受信した前記インスタントメッセージは、オーディオ、又は、ビデオを含み、
前記方法は：
前記オーディオのインスタントメッセージ、又は、前記ビデオのインスタントメッセージの情報を、認識技術を用いてテキストに変換するステップと；
前記インスタントメッセージの内容として変換された前記情報を用いるステップと；を更に備える、
請求項１〜９のいずれかに記載のサービス機能を実施する方法。
【請求項１１】
サービス機能を実施する方法であって、前記方法はデバイスにより実行され、前記方法は：
参加中のインスタント会話におけるインスタントメッセージを、インスタントメッセージングサーバへ送信するステップと；
前記インスタントメッセージングサーバから受信した、ショートカット操作アイテムを表示させるための命令に従って、前記ショートカット操作アイテムを、ユーザに対して表示するステップであって、前記ショートカット操作アイテムは、前記インスタントメッセージの内容に関連するサービスタスクに対応する、前記表示するステップと；
前記ユーザによる前記ショートカット操作アイテムへの所定の実行操作を受信した後に、前記ショートカット操作アイテムに対応するサービスタスクを開始するステップと；を備える、
サービス機能を実施する方法。
【請求項１２】
前記ユーザに対して前記ショートカット操作アイテムを表示する表示時間の終了後に、前記ショートカット操作アイテムの表示を取り消すステップ；を更に備え、
前記表示時間は、前記デバイス上で事前設定される、又は、前記ショートカット操作アイテムを表示させる前記命令において前記インスタントメッセージングサーバにより指定される、
請求項１１に記載のサービス機能を実施する方法。
【請求項１３】
前記ショートカット操作アイテムに対応するサービスタスクを開始する前記ステップは、前記ショートカット操作アイテムに基づいて前記インスタントメッセージングサーバへの要求を開始するステップを備え、
前記方法は：
前記インスタントメッセージングサーバから受信した、前記サービスタスクの実行結果を表示させるための命令に従って、前記実行結果を前記ユーザに対し表示するステップ；を更に備える、
請求項１１又は請求項１２に記載のサービス機能を実施する方法。
【請求項１４】
前記サービス機能は、ネットワーク決済機能を含み、
前記サービスタスクのサービスタイプは、送金又は紅包送信を含み、
送金のサービスパラメータは、送金アウトアカウント、送金インアカウント、及び送金金額のうちの１つ以上を含み、
紅包送信のサービスパラメータは、紅包送信アカウントと紅包金額とのうちの１つ又は２つを含む、
請求項１１〜１３のいずれかに記載のサービス機能を実施する方法。
【請求項１５】
前記ショートカット操作アイテムを、ユーザに対して表示する前記ステップは、
前記ショートカット操作アイテムを、インスタント会話のウィンドウ又はクリック可能なフローティングウィンドウ内のシステムメッセージとして表示するステップである、
請求項１１〜１４のいずれかに記載のサービス機能を実施する方法。
【請求項１６】
サービス機能を実施するためのデバイスであって、前記デバイスは、請求項１〜１０のいずれかに記載のサービス機能を実施する方法を実行するように構成された複数のユニットを備える、
デバイス。
【請求項１７】
サービス機能を実施するためのデバイスであって、前記デバイスは、請求項１１〜１５のいずれかに記載のサービス機能を実施する方法を実行するように構成された複数のユニットを備える、
デバイス。
【手続補正２】
【補正対象書類名】明細書
【補正対象項目名】００５７
【補正方法】変更
【補正の内容】
【００５７】
当業者は、本願の実施形態が、方法、システム、又はコンピュータプログラム製品として提供され得ることを理解すべきである。 したがって、本願は、完全なハードウェアの実施の形態、完全なソフトウェアの実施の形態、又はソフトウェアとハードウェアとを組み合わせた実施の形態として実装することができる。更に、本願は、コンピュータで使用可能なプログラムコードを含む、１つ又は複数のコンピュータで使用可能な記憶媒体（磁気ディスクメモリ、ＣＤ−ＲＯＭ、光メモリなどを含むがこれに限定されない）の形態を採ることができる。
［第１の局面］
サービス機能を実施する方法であって、前記方法はインスタントメッセージングサーバ上で適用され、前記方法は：
インスタント会話（インスタントメッセージの会話）の参加者が送信したインスタントメッセージを受信するステップと；
前記インスタント会話における前記インスタントメッセージの内容が特定のサービスタイプの事前設定されたトリガ条件を満たす場合に、ショートカット操作アイテムを表示させる命令を、前記インスタント会話の参加者の端末へ送信するステップであって、前記ショートカット操作アイテムは、前記サービスタイプのサービスタスクを開始するために前記端末によって用いられる、送信するステップと；を備える、
サービス機能を実施する方法。
［第２の局面］
前記ショートカット操作アイテムに基づいて前記端末が開始した要求を受信し、前記ショートカット操作アイテムに対応するサービスタスクを実行するステップを更に備える、
第１の局面に記載の方法。
［第３の局面］
前記サービスタスクの実行結果を表示させる命令を、前記端末へ送信するステップを更に備える、
第２の局面に記載の方法。
［第４の局面］
前記事前設定されたトリガ条件は、前記インスタントメッセージの前記内容が、前記サービスタイプに対応するキーワードを含むこと；及び／又は、いくつかの隣接するインスタントメッセージの内容の意味解析結果が、前記対応するサービスタイプと一致すること；を含む、
第１の局面に記載の方法。
［第５の局面］
ショートカット操作アイテムを表示させる前記命令は、前記端末上での前記ショートカット操作アイテムの表示時間を含み、
前記ショートカット操作アイテムの前記表示は、前記表示時間の終了時に前記端末によって取り消される、
第１の局面に記載の方法。
［第６の局面］
ショートカット操作アイテムを表示させる前記命令は、前記サービスタイプと、前記サービスタスクの少なくとも１つのサービスパラメータとを含み、
前記サービスパラメータは、前記インスタント会話でのインスタントメッセージの内容、及び／又は、前記インスタント会話の参加者に従って生成される、
第１の局面に記載の方法。
［第７の局面］
前記サービス機能は、ネットワーク決済機能を含み；
前記サービスタイプは、紅包の送金及び／又は送信を含み；
送金のサービスパラメータは、送金アウトアカウント、送金インアカウント、及び送金金額のうちの１つ以上を含み；
紅包送信のサービスパラメータは、紅包送信アカウントと紅包金額とのうちの１つ又は２つを含む；
第６の局面に記載の方法。
［第８の局面］
サービス機能を実施する方法であって、前記方法は端末上で適用され、前記方法は：
参加中のインスタント会話におけるインスタントメッセージを、インスタントメッセージングサーバへ送信するステップと；
前記インスタントメッセージングサーバから受信した、ショートカット操作アイテムを表示させる命令に従って、前記ショートカット操作アイテムを、ユーザに対して表示するステップであって、前記ショートカット操作アイテムは、前記インスタントメッセージの内容に関連するサービスタスクに対応する、表示するステップと；
前記ユーザによる前記ショートカット操作アイテムへの所定の実行操作を受信した後に、前記ショートカット操作アイテムに対応するサービスタスクを開始するステップと；を備える、
サービス機能を実施する方法。
［第９の局面］
前記ユーザに対して前記ショートカット操作アイテムを表示する表示時間の終了後に、前記ショートカット操作アイテムの前記表示を取り消すステップを更に備え、
前記表示時間は、前記端末上で事前設定される、又は、前記ショートカット操作アイテムを表示させる前記命令内において前記インスタントメッセージングサーバにより指定される、
第８の局面に記載の方法。
［第１０の局面］
前記ショートカット操作アイテムに対応するサービスタスクを開始する前記ステップは、前記ショートカット操作アイテムに基づいて前記インスタントメッセージングサーバへの要求を開始するステップを備え、
前記方法は、前記インスタントメッセージングサーバから受信した、前記サービスタスクの実行結果を表示させる命令に従って、前記実行結果を前記ユーザに対し表示するステップを更に備える、
第８の局面に記載の方法。
［第１１の局面］
前記サービス機能は、ネットワーク決済機能を含み；
前記サービスタスクの前記サービスタイプは、紅包の送金又は送信を含み；
送金のサービスパラメータは、送金アウトアカウント、送金インアカウント、及び送金金額のうちの１つ以上を含み；
紅包送信のサービスパラメータは、紅包送信アカウントと紅包金額とのうちの１つ又は２つを含む；
第８の局面に記載の方法。
［第１２の局面］
サービス機能を実施する装置であって、前記装置はインスタントメッセージングサーバ上で適用され、前記装置は：
インスタント会話の参加者が送信したインスタントメッセージを受信するように構成されたインスタントメッセージ受信ユニットと；
前記インスタント会話における前記インスタントメッセージの内容が特定のサービスタイプの事前設定されたトリガ条件を満たす場合に、ショートカット操作アイテムを表示させる命令をインスタント会話の参加者の端末へ送信するように構成されたショートカット操作命令ユニットであって、前記ショートカット操作アイテムは、前記サービスタイプのサービスタスクを開始するために前記端末によって用いられる、ショートカット操作命令ユニットと；を備える、
サービス機能を実施する装置。
［第１３の局面］
前記ショートカット操作アイテムに基づき前記端末によって開始された要求を受信し、前記ショートカット操作アイテムに対応するサービスタスクを実行するように構成された操作要求受信ユニットを更に備える、
第１２の局面に記載の装置。
［第１４の局面］
前記サービスタスクの前記実行結果を表示させる命令を前記端末へ送信するように構成された実行結果命令ユニットを更に備える、
第１３の局面に記載の装置。
［第１５の局面］
前記事前設定されたトリガ条件は：前記インスタントメッセージの前記内容が、前記サービスタイプに対応するキーワードを含むこと、及び／又は、いくつかの隣接するインスタントメッセージの内容についての意味解析結果が、前記対応するサービスタイプと一致すること；を含む、
第１２の局面に記載の装置。
［第１６の局面］
前記ショートカット操作アイテムを表示させる前記命令は、前記端末上での前記ショートカット操作アイテムの表示時間を含み；
前記ショートカット操作アイテムの前記表示は、前記表示時間の終了時に前記端末によって取り消される；
第１２の局面に記載の装置。
［第１７の局面］
前記ショートカット操作アイテムを表示させる前記命令は、前記サービスタスクの前記サービスタイプ及び少なくとも１つのサービスパラメータを含み；
前記サービスパラメータは、前記インスタント会話での前記インスタントメッセージの内容、及び／又は、前記インスタント会話の参加者に従って生成される、
第１２の局面に記載の装置。
［第１８の局面］
前記サービス機能は、ネットワーク決済機能を含み；
前記サービスタイプは、紅包の送金及び／又は送信を含み；
送金のサービスパラメータは、送金アウトアカウント、送金インアカウント、及び送金金額のうちの１つ以上を含み；
紅包送信のサービスパラメータは、紅包送信アカウントと紅包金額とのうちの１つ又は２つを含む、
第１７の局面に記載の装置。
［第１９の局面］
サービス機能を実施する装置であって、前記装置は端末上で適用され、前記装置は：
参加中のインスタント会話におけるインスタントメッセージを、インスタントメッセージングサーバへ送信するように構成されたインスタントメッセージ送信ユニットと；
前記インスタントメッセージングサーバから受信した、ショートカット操作アイテムを表示させる命令に従って、前記ショートカット操作アイテムをユーザに対して表示するように構成された操作アイテム表示受信ユニットであって、前記ショートカット操作アイテムは、前記インスタントメッセージの内容に関連するサービスタスクに対応する、操作アイテム表示受信ユニットと；
前記ユーザによる前記ショートカット操作アイテムへの所定の実行操作を受信すると、前記ショートカット操作アイテムに対応するサービスタスクを開始するように構成された操作アイテム開始ユニットと；を備える、
サービス機能を実施する装置。
［第２０の局面］
前記ショートカット操作アイテムを前記ユーザに対して表示する表示時間の終了後に、前記ショートカット操作アイテムの前記表示を取り消すように構成された操作アイテム表示取消ユニットを更に備え；
前記表示時間は、前記端末上で事前設定される、又は、前記ショートカット操作アイテムを表示する前記命令内で前記インスタントメッセージングサーバによって指定される；
第１９の局面に記載の装置。
［第２１の局面］
前記操作アイテム開始ユニットは、具体的に、前記ユーザによる前記ショートカット操作アイテムへの所定の実行操作を受信すると、前記ショートカット操作アイテムに基づいて前記インスタントメッセージングサーバへの要求を開始するように構成され；
前記装置は、前記インスタントメッセージングサーバから受信した、前記サービスタスクの実行結果を表示させる命令に従って、前記実行結果を前記ユーザに対して表示するように構成された実行結果表示ユニットを更に備える、
第１９の局面に記載の装置。
［第２２の局面］
前記サービス機能は、ネットワーク決済機能を含み；
前記サービスタスクの前記サービスタイプは、紅包の送金又は送信を含み；
送金のサービスパラメータは、送金アウトアカウント、送金インアカウント、及び送金金額のうちの１つ以上を含み；
紅包送信のサービスパラメータは、紅包送信アカウントと紅包金額とのうちの１つ又は２つを含む、
第１９の局面に記載の装置。